(57)【要約】【課題】雨に当たっても、屋外掲示物として使用されるラミネート積層体（印刷された紙等のシートの両面を透明な合成樹脂層で被覆したもの）の外観が汚くならないようにできるラミネート積層体吊り下げ具を提供する。【解決手段】吊り下げ具本体５に、その下面に開口する積層体収容溝８を設け、ラミネート積層体２の上端部を下面開口から積層体収容溝８に挿入可能とする。吊り下げ具本体５の前面または後面から突き通し体７を積層体収容溝８内に侵入させ、ラミネート積層体２の上端部を突き通させることにより、吊り下げ具本体５にラミネート積層体２を吊り下げ支持させる。ラミネート積層体２に突き通し体７が突き通されている部分は、積層体収容溝８内に収容されているので、雨が降っても、その部分からラミネート積層体２内に雨が侵入し、ラミネート積層体２の外観が汚くなってしまうことがない。【選択図】図１３
2014038141.tif 000002
【特許請求の範囲】
【請求項１】
印刷されたシートの両面を透明な合成樹脂層で被覆してなるラミネート積層体を吊り下げ支持するラミネート積層体吊り下げ具であって、
吊り下げ具本体と、
この吊り下げ具本体に設けられた、該吊り下げ具本体の下面に開口し、この開口から前記ラミネート積層体の上端部を挿入される積層体収容溝と、
前記吊り下げ具本体に設けられた、該吊り下げ具本体の前面または後面から前記積層体収容溝にまで前後方向に延びる突き通し体用穴と、
軸部と頭部とを有し、前記軸部を前記吊り下げ具本体の前面または後面から前記突き通し体用穴を通して前記積層体収容溝内に侵入させ、前記積層体収容溝内に挿入された前記ラミネート積層体の上端部に突き通すことにより、前記吊り下げ具本体に前記ラミネート積層体を吊り下げ支持させる突き通し体とを有してなるラミネート積層体吊り下げ具。
【請求項２】
一端側を前記吊り下げ具本体に前後方向に延びる回動軸を中心として回動可能に取り付けられており、ループ状とされることにより、前記吊り下げ具本体を所望の支持物に取り付けるようになっている結束バンドをさらに有する請求項１記載のラミネート積層体吊り下げ具。
【請求項３】
前記突き通し体用穴はねじ穴とされている一方、前記突き通し体の前記軸部は外周に雄ねじ部を設けられており、前記突き通し体用穴に前記雄ねじ部をねじ込んで行くことにより、該突き通し体がラミネート積層体を突き通すようになっている請求項１または２記載のラミネート積層体吊り下げ具。
【請求項４】
前記積層体収容溝の前面側内壁面および（または）後面側内壁面には、それぞれ上下方向に延びるリブが設けられていて、かつこれらのリブの下端部は下方に行くほど高さが低くなるようになっている請求項１乃至３のいずれか１項に記載のラミネート積層体吊り下げ具。
【発明の詳細な説明】
【技術分野】
【０００１】
本発明は、印刷された紙等のシートの両面を透明な合成樹脂層で被覆してなるラミネート積層体を吊り下げ支持するラミネート積層体吊り下げ具に関する。
【背景技術】
【０００２】
かっては、シート状の屋外掲示物としては、合成樹脂製シート等の耐水性を有するシートに耐水性の印刷を施したものが多く用いられていた。しかし、最近においては、コスト削減等の理由から、ユーザー自らが自社のパソコンおよびプリンターを用いて所望の文字、図形、写真等を印刷した紙をラミネート加工（パウチ加工と言われることもある）し、それによって得られたラミネート積層体を屋外掲示物として使用することが多くなって来た。
【先行技術文献】
【特許文献】
【０００３】
【非特許文献１】都澤雅明、“屋外で使用するインクジェット紙について”、［online］、［平成２４年８月３日検索］、インターネット＜URL： http://printpaper-tozawa.blogspot.jp/2011/07/blog-post#03.html＞
【発明の概要】
【発明が解決しようとする課題】
【０００４】
しかしながら、従来は、ラミネート積層体を例えば単管パイプ、ロープ、バリケード、コーンバー等の所望の支持物に吊り下げるため、ラミネート積層体の上端部に穴を明け、紐、ワイヤ等を挿通していたので、雨が降ると、前記穴からラミネート積層体の合成樹脂層と紙の間に雨が染み込み、雨自体により紙が汚れるとともに雨により印刷が滲んでしまい、ラミネート積層体の外観が著しく汚くなってしまうという問題があった。
【０００５】
本発明は、このような従来の事情に鑑みてなされたもので、本発明の目的の一つは、雨に当たっても、ラミネート積層体の外観が汚くならないようにすることができるラミネート積層体吊り下げ具を提供することにある。
【０００６】
本発明の他の目的は、ラミネート積層体を簡単に取り付けることができるラミネート積層体吊り下げ具を提供することにある。
【０００７】
本発明の他の目的は、ラミネート積層体を所望の支持物に簡単に吊り下げることができるラミネート積層体吊り下げ具を提供することにある。
【０００８】
本発明のさらに他の目的は、以下の説明から明らかになろう。
【課題を解決するための手段】
【０００９】
本発明によるラミネート積層体吊り下げ具は、
印刷されたシートの両面を透明な合成樹脂層で被覆してなるラミネート積層体を吊り下げ支持するラミネート積層体吊り下げ具であって、
吊り下げ具本体と、
この吊り下げ具本体に設けられた、該吊り下げ具本体の下面に開口し、この開口からラミネート積層体の上端部を挿入される積層体収容溝と、
前記吊り下げ具本体に設けられた、該吊り下げ具本体の前面または後面から前記積層体収容溝にまで前後方向に延びる突き通し体用穴と、
軸部と頭部とを有し、前記軸部を前記吊り下げ具本体の前面または後面から前記突き通し体用穴を通して前記積層体収容溝内に侵入させ、前記積層体収容溝内に挿入された前記ラミネート積層体の上端部に突き通すことにより、前記吊り下げ具本体に前記ラミネート積層体を吊り下げ支持させる突き通し体とを有してなるものである。
【００１０】
本発明においては、ラミネート積層体の上端部を吊り下げ具本体の下面開口から積層体収容溝内に挿入するとともに、突き通し体の軸部を吊り下げ具本体の前面または後面から突き通し体用穴を通して積層体収容溝内に侵入させ、ラミネート積層体の上端部に突き通すだけで、簡単に吊り下げ具本体にラミネート積層体を吊り下げることができる。
【００１１】
また、ラミネート積層体が突き通し体に突き通されている部分は、下方に開口する積層体収容溝内に収容されているので、屋外使用時に雨が降っても、ラミネート積層体内に雨が侵入する虞はなく、従来のように雨が降ったときにラミネート積層体の外観が汚くなってしまうことがない。
【００１２】
なお、積層体収容溝の前面側内壁面および（または）後面側内壁面にリブを上下方向に設け、かつこれらのリブ下端部は下方に行くほど高さが低くなるようにしておけば、ラミネート積層体の上端部を積層体収容溝内に挿入するときは入れやすく、かつ挿入後はラミネート積層体が前後方向に大きく動くことができないようにし、突き通し体がラミネート積層体を確実に突き通し、吊り下げ具本体にラミネート積層体が確実に取り付けられるようにすることができる。
【００１３】
また、吊り下げ具本体に、結束バンドの一端側を前後方向に延びる回動軸を中心として回動可能に取り付けておけば、この結束バンドをループ状とすることにより、吊り下げ具本体を所望の支持物に簡単に取り付けることができる。
【００１４】
また、吊り下げ具本体の突き通し体用穴はねじ穴とする一方、突き通し体の軸部の外周に雄ねじ部を設ければ、前記突き通し体用穴に前記雄ねじ部をねじ込んで行くことにより、突き通し体がラミネート積層体を突き通すようにすることができるので、突き通し体をラミネート積層体に突き通す作業および突き通し体が吊り下げ具本体から脱落しないようにする作業をより容易かつ確実に行うことができる。
【発明の効果】
【００１５】
本発明のラミネート積層体吊り下げ具は、
（イ）雨に当たっても、ラミネート積層体の外観が汚れないようにすることができる、
（ロ）ラミネート積層体を簡単に取り付けることができる、
（ハ）ラミネート積層体を所望の支持物に簡単に吊り下げることができる、
等の優れた効果を得られるものである。
【図面の簡単な説明】
【００１６】
【図１】本発明によるラミネート積層体吊り下げ具の一実施例を結束バンドを取り外して示す斜視図である。
【図２】前記ラミネート積層体吊り下げ具を示す正面図である。
【図３】図２の一部を拡大して示す拡大正面図である。
【図４】前記ラミネート積層体吊り下げ具を示す平面図である。
【図５】前記ラミネート積層体吊り下げ具を示す側面図である。
【図６】前記ラミネート積層体吊り下げ具を示す背面図である。
【図７】前記ラミネート積層体吊り下げ具を示す底面図である。
【図８】図７の一部を拡大して示す拡大底面図である。
【図９】図８のＩＸ−ＩＸ線における断面図である。
【図１０】図８のＸ−Ｘ線における断面図である。
【図１１】前記実施例において、取付時にラミネート積層体の上端部を吊り下げ具本体の積層体収容溝内に挿入した状態を示す断面図である。
【図１２】前記ラミネート積層体を示す拡大断面図である。
【図１３】前記実施例においてラミネート積層体の上端部に突き通し体を突き通して吊り下げ具本体にラミネート積層体を取り付けた状態を示す断面図である。
【図１４】図１３の状態に対応する正面図である。
【図１５】前記実施例において結束バンドにより吊り下げ具本体を所望の支持物に取り付けた状態を示す断面図である。
【図１６】図１５の状態に対応する正面図である。
【発明を実施するための形態】
【００１７】
以下、本発明を図面に示す実施例に基づいて説明する。
【実施例】
【００１８】
図１〜１６は本発明のラミネート積層体吊り下げ具１の一実施例を示している。本実施例において吊り下げ対象となるラミネート積層体２は図１１〜１６に示されており、このラミネート積層体２は、文字、図形等を印刷された紙３の両面を透明な合成樹脂層４で被覆してなる（なお、図１１，１３および１５では、ラミネート積層体２の総厚が非常に薄く表れ、紙３と合成樹脂層４とを明確に分離して視認できるようにするのが困難なため、紙３と合成樹脂層４とを分離して示していない）。図１４および１６に示されるように、前記合成樹脂層４は紙３の四辺より若干外側まで延びている。本実施例では、紙３としてＡ４サイズのものを使用することを想定しているが、勿論、本発明においては、ラミネート積層体２を構成する紙３等のシートの大きさは任意である。
【００１９】
本実施例においては、ラミネート積層体吊り下げ具１は、吊り下げ具本体５と、この吊り下げ具本体５に取り付けられた左右一対の結束バンド６と、吊り下げ具本体５に螺合される突き通し体７とを有してなる。ただし、図１は、結束バンド６を取り外した状態でラミネート積層体吊り下げ具１を示している。
【００２０】
前記吊り下げ具本体５は、ＡＢＳ樹脂等の合成樹脂からなり、大略のところ、左右に直線状に延びる横断面矩形状の棒状をなしている。図７〜１１に示されるように、前記吊り下げ具本体５には、該吊り下げ具本体５の下面に開口し、ラミネート積層体２の上端部を収容する積層体収容溝８が設けられている。この積層体収容溝８は吊り下げ具本体５のほぼ全長に渡って設けられている。前記積層体収容溝８の前面側内壁面８ａおよび後面側内壁面８ｂには、それぞれ上下方向に延びるリブ９，１０が適当な間隔をおいて適当数設けられており、これらのリブ９，１０の下端部は丸められていることにより、下方に行くほど高さが低くなっている。図８および１０によく示されるように、前記積層体収容溝８の後面側内壁面８ｂのうちの後述する突き通し体用穴１１に対向する位置には、上下方向に延びる突き通し体先端収容溝１２が設けられている。
【００２１】
前記吊り下げ具本体５の上端部かつ左右両端部付近には、それぞれバンド支持部１３が突設されており、これらの左右一対のバンド支持部１３にはバンド支持穴１４が前後方向に貫通されている。前記吊り下げ具本体５の下端部には、左右一対の突き通し体支持部１５が突設して設けられている。図１０および１１によく示されるように、これらの突き通し体支持部１５のうちの積層体収容溝８より前面側の部分には、ねじ穴とされた突き通し体用穴１１が設けられている。
【００２２】
前記突き通し体７はポリカーボネート等の合成樹脂からなり、図１０および１１に示されるように、軸部１６とこの軸部１６の後端部に設けられた頭部１７とを有している。前記軸部１６の先端側１６ａは後端側１６ｂより段差を付けて径を細くされており、かつ先端部を先鋭とされている。前記軸部１６の後端側１６ｂの外周には雄ねじ部１８が設けられており、この雄ねじ部１８は前記突き通し体用穴１１に螺合されるようになっている。前記頭部１７には該突き通し体７の締め付けおよび緩め時にドライバーを嵌合される駆動溝１９が設けられている。
【００２３】
前記吊り下げ具本体５の左右一対のバンド支持部１３には、それぞれ前記結束バンド６が取り付けられている。これらの結束バンド６は、それぞれ合成樹脂からなり、図９および１５によく示されるように、帯状部２０とこの帯状部２０の一端部に連続する基部２１とを一体的に有している。前記帯状部２０は可撓性を有していて湾曲可能であり、一方の面に鋸歯状突起２２を設けられている。前記基部２１には、切り割り２３ａを設けられた大略筒状をなす取付部２３と帯状部挿通部２４とが設けられている。
【００２４】
前記取付部２３の先端部外周には径方向外方に突出する突起部２５が設けられており、図１５に示されるように、吊り下げ具本体５のバンド支持穴１４に取付部２３を押し込んで挿通することにより、吊り下げ具本体５のバンド支持部１３に結束バンド６がバンド支持穴１４の軸周りに（したがって、前後方向に延びる軸周りに）回動可能に取り付けられている。なお、この取付状態においては、取付部２３の弾性によってバンド支持穴１４の内面と取付部２３の外周面との間に作用する摩擦力により、結束バンド６は適度の制動力を受けた状態でバンド支持部１３に対し回転可能となっている。また、突起部２５が存在するため、一旦、バンド支持穴１４に取付部２３を挿通すると、取付部２３を単純に逆方向に移動させようとしても、取付部２３をバンド支持穴１４から引き抜くことはできない。
【００２５】
図９および１５によく示されるように、前記帯状部挿通部２４には帯状部２０を挿通可能な挿通孔２６と、この挿通孔２６に接しており、図１５のようにその後端部を指で押すと、可動な可動部２７が設けられている。前記可動部２７の先端部は帯状部２０の鋸歯状突起２２に噛み合う係合爪２８とされている。
【００２６】
図１〜３等に示されように、前記吊り下げ具本体５の前面には、吊り下げ具本体５に対するラミネート積層体２の位置決めを容易にするための横使い位置表示２９および縦使い位置表示３０が設けられている。
【００２７】
次に、図３，１１〜１６を用いて本実施例におけるラミネート積層体吊り下げ具１１の使用方法を説明する。
【００２８】
まず、図１１に示されるように突き通し体７を吊り下げ具本体５の突き通し体支持部１５の突き通し体用穴１１から取り外すか、または突き通し体７の雄ねじ部１８と突き通し体用穴１１との螺合を緩めた状態で、ラミネート積層体２の上端部を積層体収容溝８内に挿入するとともに、図３の一点鎖線で示されるように、ラミネート積層体２の紙３の左右端を横使い位置表示２９または縦使い位置表示３０に合わせる（ラミネート積層体２を横向きに吊り下げ具本体５に取り付けるときは横使い位置表示２９に合わせ、ラミネート積層体２を縦向きに吊り下げ具本体５に取り付けるときは縦使い位置表示３０に合わせる）。
【００２９】
次に、図１３のように突き通し体７の雄ねじ部１８を突き通し体支持部１５の突き通し体用穴１１にねじ込んで行くと、突き通し体７の軸部１６の先端側１６ｂがラミネート積層体２を前後方向に突き通し、突き通し体７の軸部１６先端が突き通し体先端収容溝１２に侵入する。吊り下げ具本体５の左右においてこれを行うことにより、ラミネート積層体２の上端部が吊り下げ具本体５に取り付けられる。図１４は、この取付状態を正面から見た図である。
【００３０】
次に、図１５に示されるように、結束バンド６の帯状部２０を所望の支持物３１に巻回した上、帯状部２０を先端側から帯状部挿通部２４の挿通孔２６に適当な長さだけ挿通すると、係合爪２８が鋸歯状突起２２に係合し、帯状部２０が帯状部挿通部２４に対し抜け方向に移動することはできなくなり、帯状部２０が適当な大きさのループを形成して、結束バンド６が支持物３１に取り付けられる。なお、図１５は支持物２０が単管パイプである例を示しているが、他の種のパイプ類、ロープ、建築現場の足場、筋かい、バリケード、フェンス、金網、コーンバー等の他の種々の支持物にも取り付けることができる。
【００３１】
これにより、図１５および１６に示されるように、支持物３１に吊り下げ具本体５を結束バンド６を介して取り付け、吊り下げ具本体５からラミネート積層体２が吊り下げられている状態とすることができる。
【００３２】
なお、以上の説明では、吊り下げ具本体５にラミネート積層体２を取り付けてから吊り下げ具本体５を結束バンド６を介して支持物３１に取り付けているが、勿論、先に吊り下げ具本体５を結束バンド６を介して支持物３１に取り付け、しかる後に吊り下げ具本体５にラミネート積層体２を吊り下げてもよい。
【００３３】
このラミネート積層体吊り下げ具１においては、ラミネート積層体２の上端部を積層体収容溝８内に挿入した状態で突き通し体７をラミネート積層体２に突き通すだけで、簡単に吊り下げ具本体５にラミネート積層体２を吊り下げることができる。
【００３４】
また、ラミネート積層体２が突き通し体７に突き通されている部分は、下方に開口する積層体収容溝８内に収容されているので、屋外使用時に雨が降っても、ラミネート積層体２内に雨が侵入する虞はなく、従来のようにラミネート積層体２の外観が汚くなってしまうことがない。
【００３５】
なお、本実施例では、積層体収容溝８にリブ９，１０が設けられていて、かつこれらのリブ９，１０の下端部は丸められることにより、下方に行くほど高さが低くなるようになっているので、ラミネート積層体２の上端部を積層体収容溝８に挿入するときは入れやすく、かつ挿入後はラミネート積層体２が前後方向に大きく動くことができないようにし、突き通し体７がラミネート積層体２を確実に突き通し、吊り下げ具本体５にラミネート積層体２が確実に取り付けられるようにすることができる。ただし、前面側内壁面８ａまたは後面側内壁面８ｂの一方にのみリブ９，１０を設けてもよい。また、ラミネート積層体２の前後方向の動きを特に制限する必要がない場合は、リブを設けなくてもよい。
【００３６】
また、本実施例では、結束バンド６により、吊り下げ具本体５を所望の支持物３１に簡単に取り付けることができる。さらに、本実施例では、図１５の矢印Ａのように可動部２７の後端部を指で押すと、可動部２７が矢印Ｂのように動き、可動部２７の係合爪２８が帯状部２０の鋸歯状突起２２から外れ、帯状部２０を挿通孔２６から抜き出すことができるので、必要な場合は結束バンド６を吊り下げ具本体５とともに支持物３１から簡単に取り外すことができる。
【００３７】
なお、前記実施例においては、ラミネート積層体２は紙３の両面を透明な合成樹脂層４で被覆してなるものであったが、本発明においては、ラミネート積層体２は紙３以外の物質からなる印刷されたシートの両面を透明な合成樹脂層４で被覆したものであってもよい。
【００３８】
また、前記実施例においては、突き通し体７はその軸部１６に雄ねじ部１８を設けられており、この雄ねじ部１８を吊り下げ具本体５のねじ穴とされた突き通し体用穴１１にねじ込むことにより、突き通し体７がラミネート積層体２を突き通すようになっているが、本発明においては、突き通し体用穴１１をねじ穴としないとともに突き通し体７の軸部１６に雄ねじ部１８を設けなくてもよく、軸部１６を突き通し体用穴１１に押し込んできつく嵌合させる等の手段により、突き通し体７がラミネート積層体２を突き通すとともに、吊り下げ具本体５から脱落することがないようにしてもよい。ただし、前記実施例のように、突き通し体用穴１１をねじ穴とするとともに軸部１６に雄ねじ部１８を設け、雄ねじ部１８を突き通し体用穴１１にねじ込むようにすれば、突き通し体７をラミネート積層体２に突き通す作業および突き通し体７が吊り下げ具本体５から脱落しないようにする作業をより容易かつ確実に行うことができる。
【００３９】
また、前記実施例においては、突き通し体７を吊り下げ具本体５の前面側から積層体収容溝８内に侵入させて、積層体収容溝８内に収容されているラミネート積層体２の上端部に突き通しているが、本発明においては、突き通し体７を吊り下げ具本体５の後面側から積層体収容溝８内に侵入させて、ラミネート積層体２の上端部に突き通すようにしてもよい。
【００４０】
また、前記実施例においては、吊り下げ具本体５に最初から結束バンド６が取り付けられており、これらの結束バンド６で吊り下げ具本体５を所望の支持物３１に取り付けるようになっているが、本発明においては、吊り下げ具本体５に最初から結束バンド６が取り付けておかず、ユーザーが適宜、汎用の結束バンドを用いて吊り下げ具本体５を所望の支持物３１に取り付けることができるようにしてもよいし、さらに吊り下げ具本体５を結束バンド以外のワイヤ、紐、チェーン等の他の手段により支持物３１に取り付けるようにしてもよい。
【産業上の利用可能性】
【００４１】
以上のように本発明によるラミネート積層体吊り下げ具は、印刷された紙等のシートの両面を透明な合成樹脂層で被覆してなるラミネート積層体を吊り下げ支持するラミネート積層体吊り下げ具として有用である。
【符号の説明】
【００４２】
１    ラミネート積層体吊り下げ具
２    ラミネート積層体
３    紙
４    合成樹脂層
５    吊り下げ具本体
６    結束バンド
７    突き通し体
８    積層体収容溝
８ａ    積層体収容溝の前面側内壁面
８ｂ    積層体収容溝の後面側内壁面
９，１０  リブ
１１    ねじ穴
１３    バンド支持部
１４    バンド支持穴
１５    突き通し体支持部
１６    軸部
１７    頭部
１８    雄ねじ部
１９    駆動溝
２０    帯状部
２１    基部
２２    鋸歯状突起
２３    取付部
２４    帯状部挿通部
２５    突起部
２６    挿通孔
２７    可動部
２８    係合爪
２９    横使い位置表示
３０    縦使い位置表示
【図１】
2014038141.tif 000003
【図２】
2014038141.tif 000004
【図３】
2014038141.tif 000005
【図４】
2014038141.tif 000006
【図５】
2014038141.tif 000007
【図６】
2014038141.tif 000008
【図７】
2014038141.tif 000009
【図８】
2014038141.tif 000010
【図９】
2014038141.tif 000011
【図１０】
2014038141.tif 000012
【図１１】
2014038141.tif 000013
【図１２】
2014038141.tif 000014
【図１３】
2014038141.tif 000015
【図１４】
2014038141.tif 000016
【図１５】
2014038141.tif 000017
【図１６】
2014038141.tif 000018